(57)【特許請求の範囲】
【請求項１】
呼出ボタンを備えるドアホン子機と前記ドアホン子機を制御するドアホン親機から構成されるドアホンシステムにおいて、
前記ドアホン親機は、前記ドアホン子機が備える呼出ボタンが押下されると前記呼出ボタンを押下した来訪者に対して連絡先電話番号または音声メッセージの入力を促すガイダンス情報を前記ドアホン子機へ送信するガイダンス情報送信手段を有し、
前記ドアホン子機は、前記ドアホン親機から送信されるガイダンス情報を自ドアホン子機が備える表示手段に表示し、前記ガイダンス情報に従って来訪者が入力した連絡先電話番号または音声メッセージを前記ドアホン親機へ送信する入力情報送信手段と、来訪者を撮像する自ドアホン子機が備える映像カメラが撮像した映像データを前記ドアホン親機へ送信する映像送信手段と、を有し、
前記ドアホン親機は、前記ドアホン子機から連絡先電話番号または音声メッセージを受信した場合に、前記連絡先電話番号または前記音声メッセージを含む電子メールを生成し、前記生成した電子メールを予め定められた宛先へ送信し、
前記ドアホン子機が前記ガイダンス情報を表示してから所定の時間が経過しても、前記連絡先電話番号または音声メッセージを受信しない場合に、前記ドアホン子機が撮像した当該来訪者に係る映像データを予め定められた宛先へ転送することを特徴とする伝言機能を有するドアホンシステム。
【発明の詳細な説明】
【技術分野】
【０００１】
本発明は、一般住宅，オフィス，公共施設等に設置されるドアホンシステムに係り、特に、留守中に来訪した来訪者が残したメッセージを出先の居住者等に転送できるドアホンシステムに関する。
【背景技術】
【０００２】
留守中に来訪者がドアホンを押下した場合に、出先の携帯電話機等を呼出し、来訪者と出先から会話することを可能とするドアホンシステムに係る技術がある（例えば、特許文献１）。
【０００３】
この技術は、留守中にドアホン子機からの呼出しがあった場合に、ドアホン親機は通信回線を介して出先の携帯電話機等を呼出し、ドアホン回線を介した来訪者の音声と通信回線を介した出先の居住者の音声を中継するものである。この技術によれば、ドアホンを介して出先の居住者と会話出来るので、来訪者にとっては訪問が無駄にならず便利である。しかしながら、出先の居住者にとっては、いつでも来訪者と会話できる状況にあるとは限らない。
【０００４】
また、留守中の来訪者がメッセージを残し、該メッセージを出先の居住者に転送できるドアホンシステムに係る技術がある（例えば、特許文献２）。特許文献２に記載された技術において、集合玄関機は簡単な文字入力機能を有し、来訪者がテンキー操作して定型的なメッセージを居室機に残すと共に、該メッセージを出先の居住者の携帯電話端末等に転送する。しかしながら、この技術の場合、メッセージを残すためのテンキー操作は初めての来訪者にとっては不慣れで面倒であると共に、定型文を併用したメッセージに残せる内容にも制限がある。
【先行技術文献】
【特許文献】
【０００５】
【特許文献１】特開２０００−１３４３４２号公報
【特許文献２】特開平１１-１３６３７４号公報
【発明の概要】
【発明が解決しようとする課題】
【０００６】
そこで、本発明の課題は、留守中に来訪した来訪者が残したメッセージを、出先の居住者が都合の良い時に確認することが出来、しかも、来訪者にメッセージを残すための複雑で面倒なテンキー操作を強いることのないドアホンシステムを提供することにある。
【課題を解決するための手段】
【０００７】
上記課題を解決するために、本発明は、呼出ボタンを備えるドアホン子機と前記ドアホン子機を制御するドアホン親機から構成されるドアホンシステムにおいて、前記ドアホン親機は、前記ドアホン子機が備える呼出ボタンが押下されると前記呼出ボタンを押下した来訪者に対して連絡先電話番号または音声メッセージの入力を促すガイダンス情報を前記ドアホン子機へ送信するガイダンス情報送信手段を有し、前記ドアホン子機は、前記ドアホン親機から送信されるガイダンス情報を自ドアホン子機が備える表示手段に表示し、前記ガイダンス情報に従って来訪者が入力した連絡先電話番号または音声メッセージを前記ドアホン親機へ送信する入力情報送信手段と、来訪者を撮像する自ドアホン子機が備える映像カメラが撮像した映像データを前記ドアホン親機へ送信する映像送信手段と、を有し、前記ドアホン親機は、前記ドアホン子機から連絡先電話番号または音声メッセージを受信した場合に、前記連絡先電話番号または前記音声メッセージを含む電子メールを生成し、前記生成した電子メールを予め定められた宛先へ送信し、前記ドアホン子機が前記ガイダンス情報を表示してから所定の時間が経過しても、前記連絡先電話番号または音声メッセージを受信しない場合に、前記ドアホン子機が撮像した当該来訪者に係る映像データを予め定められた宛先へ転送することを特徴とする。
【発明の効果】
【０００８】
本発明によれば、出先の居住者にとって、来訪者からの伝言を都合の良い時に確認することが出来、また来訪者にとって、複雑な操作なしに連絡先電話番号または音声メッセージを選択的に残せる利点がある。
【図面の簡単な説明】
【０００９】
【図１】本発明によるドアホンシステムの全体図
【図２】本発明によるドアホン親機の内部ブロック構成図
【図３】本発明によるドアホン子機の内部ブロック構成図
【図４】本発明によるドアホン親機の動作フローチャート
【発明を実施するための形態】
【００１０】
以下、本発明の実施形態について図面を用いて説明する。図１は本発明によるドアホンシステムの全体図である。１は本発明によるドアホン親機（以下、親機）であって、屋内の居間等に設置され、居住者は本親機１を操作して来訪者と会話する。また、本親機１は、ネットワーク３を介して、通報先４と接続される。２は本発明によるドアホン子機（以下、子機）であって、門，玄関，入口等に設置され、来訪者は本子機２を介して屋内の居住者と会話する。
【００１１】
図２は本親機１の内部ブロック構成図であって、１０１は親機１内の各部を制御する主制御部、１０２は子機２からの来訪者の音声を再生するスピーカ、１０３は本親機を操作する居住者の音声を入力するマイク、１０４は居住者と来訪者間の通話を制御する通話制御部、１０５は通報先４へ送信する電子メールを生成する電子メール生成部、１０６は来訪者の音声メッセージを蓄積する音声データ蓄積部、１０７は来訪者へ連絡先電話番号や音声メッセージの入力を促すガイダンス情報を登録するガイダンス情報登録部、１０８は通報先４にアクセスするための電話番号や電子メールアドレスを登録する通報先登録部、１０９はタイマ管理部、１１０は子機２と繋がる子機インターフェース、１１１は子機２からの呼出ボタンが押下された旨の信号を受信する呼出ボタン受信部、１１２は子機２の近傍に人が存在しているか否かに係る信号を受信する人検知センサ受信部、１１３は子機２からの映像データを受信し所定の変換処理を実行する映像データ送受信変換部、１１４は受信した映像データを蓄積する映像データ蓄積部、１１５はネットワーク３を介して通報先４と通信する通信制御部、１１６は液晶ディスプレイ（ＬＣＤ）等による表示部、１１７はテンキーやファンクションキーから成る操作部である。
【００１２】
図３は本子機２の内部ブロック構成図であって、２０１は映像カメラ２０２が撮像した映像信号を処理する映像処理部、２０２は来訪者を撮像する映像カメラ、２０３は来訪者へのガイダンス情報を表示するＬＣＤ等の表示部、２０４は親機１と繋がる親機インターフェース、２０５は近傍に居る人の存在を検知する人検知センサ（例えば、赤外線センサ）、２０６は来訪者が来訪時に押下する呼出ボタン、２０７は来訪者の音声を入力するマイク、２０８は来訪者への音声を流すスピーカ、２０９は来訪者が操作するテンキーである。
【００１３】
図４は親機１の動作フローチャートである。以下、図１，図２，図３を併用し、親機１の動作および本ドアホンシステム全体の動作について説明する。本フローは親機１の電源が投入された状態からスタートする（Ｓ４００）。
【００１４】
留守モードが起動中でなければ（Ｓ４０１，ＮＯ）、主制御部１０１は通話制御部１０４を制御し、本親機１は通常のドアホンとして動作する（Ｓ４０２）。この通常のドアホンとしての動作の詳細な説明は省く。この留守モードは、外出時等に居住者が操作部１１７を操作して切り替える。
【００１５】
留守モードが起動中であった場合（Ｓ４０１，ＹＥＳ）、主制御部１０１は、人検知センサ受信部１１２を監視し、子機２から人検知情報を受信していなければ（Ｓ４０３，ＮＯ）、Ｓ４０１に戻る。
【００１６】
子機２から人検知情報を受信した場合（Ｓ４０３，ＹＥＳ）、子機２を制御して子機が備える映像カメラ２０２を起動し、映像カメラ２０２が来訪者を撮像した映像データを映像データ蓄積部１１４に蓄積する（Ｓ４０４）。そして、Ｓ４１０へ進んで、呼出ボタン押下を待つ。なお、本フローでは表現していないが、映像カメラ２０２が撮像した一定期間（例えば数日）分の映像データを常時、映像データ蓄積部１１４に蓄積するようにしてもよい。
【００１７】
来訪者が呼出ボタン２０６を押下したことを呼出ボタン受信部１１１が受信すると（Ｓ４１０，ＹＥＳ）、主制御部１０１は、その呼出しに自動的に応答し、ガイダンス情報登録部１０７に予め登録されているガイダンス情報（例えば、“あなたの連絡先電話番号または音声メッセージを案内に従ってご入力下さい。”）を、子機２へ送出し（Ｓ４１２）、子機２はこのガイダンス情報を表示部２０３に表示、またはスピーカ２０８から再生する。このガイダンス情報は音声データ、表示データのいずれであってもよい。
【００１８】
そして、来訪者が前記ガイダンス情報に従って、子機２のテンキー２０９を操作して連絡先の電話番号（例えば、来訪者が宅配業者であった場合、その連絡先事務所の電話番号）やマイク２０７から入力した音声メッセージによる伝言（例えば、“都合の良い日時をお知らせ下さい。”）を、子機インターフェース１１０を介して受信すると（Ｓ４２０，ＹＥＳ）、電子メール生成部１０５は受信した連絡先電話番号や音声メッセージを含む伝言メールを生成し、通信制御部１１５およびネットワーク３を介して、通報先登録部１０８に登録されている通報先４（例えば、出先の居住者が所持する電子メール機能付き携帯電話機）へ送信し（Ｓ４２２）、Ｓ４０１に戻る。
【００１９】
なお、伝言メールによる音声メッセージの伝達は、子機インターフェース１１０および通話制御部１０４を介して子機２から受信する音声メッセージを、音声データ蓄積部１０６に蓄積してファイル化し、電子メール生成部１０５で生成した伝言メールにファイル化した音声メッセージを添付すればよい。また、受信した連絡先電話番号は伝言メールのタイトルまたはメール本文に挿入すればよい。
【００２０】
以上、留守モードにおける通常の来訪者への対応フローについて説明した。以降、留守モードにおける不審な来訪者への対応フローについて説明する。
【００２１】
Ｓ４１０で来訪者が呼出ボタン２０６を押下したことを呼出ボタン受信部１１１が受信しないまま（Ｓ４１０，ＮＯ）、タイマ管理部１０９による時間計測で一定時間（例えば３分）が経過した場合（Ｓ４１１，ＹＥＳ）、主制御部１０１は家の前に立ち止まったまま呼出ボタン２０６を押下しないのは、不審者が家を窺っていると判断する。
【００２２】
そして、電子メール生成部１０５は子機２から受信した映像データを含む警報メールを生成し、通信制御部１１５およびネットワーク３を介して、通報先登録部１０８に登録されている通報先４（例えば、契約しているセキュリティ会社や出先の居住者が所持する映像再生機能付き携帯電話機）へ送信し（Ｓ４３０）、Ｓ４０１に戻る。
【００２３】
この警報メールは不審な来訪者の存在を警告するもので、そのタイトルまたはメール本文にその旨の定型的な警告文（例えば、“家を窺っていると思われる不審者が居ます”）が挿入される。
【００２４】
次に、Ｓ４２０で、来訪者が入力すべき連絡先電話番号や音声メッセージを受信ないまま（Ｓ４２０，ＮＯ）、タイマ管理部１０９による時間計測で一定時間（例えば３分）が経過した場合（Ｓ４２１，ＹＥＳ）、主制御部１０１は呼出ボタン２０６を押下したのに、連絡先電話番号や音声メッセージを入力しないのは、泥棒が留守か否かを確認している可能性がある判断し、先に説明したＳ４３０の処理を実行する。なお、この場合の警告文は、例えば、“泥棒が留守宅を狙っている可能性があります”のような定型文とすればよく、これらの定型文は電子メール生成部１０５の内部に蓄積されている（図示せず）。
【００２５】
ところで、子機２の映像カメラ２０２は人検知センサ２０５が近傍に居る人の存在を検知した段階で起動しており、来訪者が呼出ボタン２０６を押下しなくても、その来訪者の様子は撮像されている。
【００２６】
また、警報メールによる映像データの伝達は、子機インターフェース１１０および映像データ送受信変換部１１３を介して子機２から受信する映像データを、符号化およびファイル化して、映像データ蓄積部１１４に蓄積し、電子メール生成部１０５で生成した伝言メールにファイル化した映像データを添付すればよい。または、符号化した映像データを、主制御部１０１，通信制御部１１５，ネットワーク３を介して通報先４の映像受信装置（図示せず）へ、ストリームデータとしてリアルタイムに伝送するようにしてもよい。
【００２７】
以上、本発明の一実施の形態について説明した。本実施形態によれば、出先の居住者にとって、来訪者からの伝言を都合の良い時に確認することが出来る利点がある。また来訪者にとって、複雑な操作なしに連絡先電話番号と用件を伝える音声メッセージを柔軟に残せる利点がある。
【００２８】
例えば、留守中に宅配業者が来訪した場合に、来訪した宅配業者に用件と連絡先を入力させ、その情報を出先の携帯電話へメールで転送すれば、出先から宅配業者へ電話して受取り日時を協議することが可能となる。
【符号の説明】
【００２９】
１・・・本発明によるドアホン親機
２・・・本発明によるドアホン子機
３・・・ネットワーク
４・・・通報先
１０１・・・主制御部
１０２・・・スピーカ
１０３・・・マイク
１０４・・・通話制御部
１０５・・・電子メール生成部
１０６・・・音声データ蓄積部
１０７・・・ガイダンス情報登録部
１０８・・・通報先登録部
１０９・・・タイマ管理部
１１０・・・子機インターフェース
１１１・・・呼出ボタン受信部
１１２・・・人検知センサ受信部
１１３・・・映像データ送受信変換部
１１４・・・映像データ蓄積部
１１５・・・通信制御部
１１６・・・表示部
１１７・・・操作部
２０１・・・映像処理部
２０２・・・映像カメラ
２０３・・・表示部
２０４・・・親機インターフェース
２０５・・・人検知センサ
２０６・・・呼出ボタン
２０７・・・マイク
２０８・・・スピーカ
２０９・・・テンキー
【図１】
0005597851.tif 000002
【図２】
0005597851.tif 000003
【図３】
0005597851.tif 000004
【図４】
0005597851.tif 000005